(57)【要約】【課題】眼鏡を収納並びに縦置きすることができると共に、持ち運び可能な眼鏡ケースを提供することを目的としている。【解決手段】眼鏡を収納可能な眼鏡ケース本体１０と、  眼鏡ケース本体１０に連結し、眼鏡ケース本体１０を開閉自在にカバーする蓋体２０とを備え、  眼鏡ケース本体１０には、当該眼鏡ケース本体１０を２つに折り曲げ可能な折り曲げ線Ｓ１が形成され、  蓋体２０には、当該蓋体２０を２つに分離可能な分離線Ｓ２が形成されている。【選択図】図３
2016131626.tif 000002
【特許請求の範囲】
【請求項１】
眼鏡を収納可能な眼鏡ケース本体と、
前記眼鏡ケース本体に連結し、前記眼鏡ケース本体を開閉自在にカバーする蓋体とを備え、
前記眼鏡ケース本体には、当該眼鏡ケース本体を２つに折り曲げ可能な折り曲げ線が形成され、
前記蓋体には、当該蓋体を２つに分離可能な分離線が形成されてなる眼鏡ケース。
【請求項２】
前記折り曲げ線と前記分離線とは同一線上となるように形成されてなる請求項１に記載の眼鏡ケース。
【請求項３】
前記眼鏡ケース本体には、当該眼鏡ケース本体を２つに折り曲げた際、その状態を保持する保持手段が設けられてなる請求項１又は２に記載の眼鏡ケース。
【請求項４】
前記蓋体は、前記分離線によって、第１分割蓋体と第２分割蓋体とに分離され、
前記蓋体には、前記第１分割蓋体と前記第２分割蓋体とが分離されないように係止する係止手段が設けられてなる請求項１〜３の何れか１項に記載の眼鏡ケース。
【請求項５】
眼鏡を収納可能な眼鏡ケース本体と、
前記眼鏡ケース本体に連結し、前記眼鏡ケース本体を開閉自在にカバーする蓋体とを備え、
前記眼鏡ケース本体には、当該眼鏡ケース本体を２つに分離可能な第１分離線が形成され、
前記蓋体には、当該蓋体を２つに分離可能な第２分離線が形成されてなる眼鏡ケース。
【発明の詳細な説明】
【技術分野】
【０００１】
本発明は、眼鏡を収納並びに縦置きすることができると共に、持ち運び可能な眼鏡ケースに関する。
【背景技術】
【０００２】
従来の眼鏡ケースとして、例えば、特許文献１に記載のようなものが知られている。この特許文献１に記載の眼鏡ケースは、合成樹脂の成形による収納部と蓋体に外装シートを貼付けてなり、そして、この収納部内に眼鏡が収納されてなり、もって、眼鏡を外部衝撃から守りつつ持ち運びすることが可能となるものである。
【先行技術文献】
【特許文献】
【０００３】
【特許文献１】実用新案登録第３００１２２６号公報
【発明の概要】
【発明が解決しようとする課題】
【０００４】
しかしながら、昨今、かけている眼鏡を外し、眼鏡ケース内に眼鏡を収納し持ち運ぶという人が減ってきており、従来の眼鏡ケースの需要が減りつつある。その一方で、従来の眼鏡ケースの代わりに小物入れ等の容器に眼鏡を縦置きするという人が増えてきている。しかしながら、このような小物入れ等の容器は、持ち運ばず家に置いておくことを前提としているものであるため、持ち運びに適さないという問題があった。
【０００５】
そこで、本発明は、上記問題に鑑み、眼鏡を収納並びに縦置きすることができると共に、持ち運び可能な眼鏡ケースを提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明に係る眼鏡ケースによれば、眼鏡（Ｇ）を収納可能な眼鏡ケース本体（１０）と、
前記眼鏡ケース本体（１０）に連結し、前記眼鏡ケース本体（１０）を開閉自在にカバーする蓋体（２０）とを備え、
前記眼鏡ケース本体（１０）には、当該眼鏡ケース本体（１０）を２つに折り曲げ可能な折り曲げ線（Ｓ１）が形成され、
前記蓋体（２０）には、当該蓋体（２０）を２つに分離可能な分離線（Ｓ２）が形成されてなることを特徴としている。
【０００８】
また、請求項２の発明に係る眼鏡ケースによれば、上記請求項１に記載の眼鏡ケースにおいて、前記折り曲げ線（Ｓ１）と前記分離線（Ｓ２）とは同一線上となるように形成されてなることを特徴としている。
【０００９】
さらに、請求項３の発明に係る眼鏡ケースによれば、上記請求項１又は２に記載の眼鏡ケースにおいて、前記眼鏡ケース本体（１０）には、当該眼鏡ケース本体（１０）を２つに折り曲げた際、その状態を保持する保持手段（一対の磁石１２ａ，１２ｂ）が設けられてなることを特徴としている。
【００１０】
そして、請求項４の発明に係る眼鏡ケースによれば、上記請求項１〜３の何れか１項に記載の眼鏡ケースにおいて、前記蓋体（２０）は、前記分離線（Ｓ２）によって、第１分割蓋体（２１）と第２分割蓋体（２２）とに分離され、
前記蓋体（２０）には、前記第１分割蓋体（２１）と前記第２分割蓋体（２２）とが分離されないように係止する係止手段（係止部材２３，一対の磁石２２ａ）が設けられてなることを特徴としている。
【００１１】
一方、請求項５の発明に係る眼鏡ケースによれば、眼鏡（Ｇ）を収納可能な眼鏡ケース本体（１０）と、
前記眼鏡ケース本体（１０）に連結し、前記眼鏡ケース本体（１０）を開閉自在にカバーする蓋体（２０）とを備え、
前記眼鏡ケース本体（１０）には、当該眼鏡ケース本体（１０）を２つに分離可能な第１分離線が形成され、
前記蓋体（２０）には、当該蓋体（２０）を２つに分離可能な第２分離線（分離線Ｓ２）が形成されてなることを特徴としている。
【発明の効果】
【００１２】
次に、本発明の効果について、図面の参照符号を付して説明する。なお、括弧内は、後述する実施形態の参照符号を付したものであるが、本発明はこれに限定されるものではない。
【００１３】
請求項１の発明によれば、眼鏡（Ｇ）を収納することができる眼鏡ケース本体（１０）を蓋体（２０）によって開閉自在にカバーすることができることから、従来の眼鏡ケースと同様、眼鏡（Ｇ）を外部衝撃から守りつつ持ち運びすることが可能となる。また、本発明によれば、折り曲げ線（Ｓ１）を基準として、眼鏡ケース本体（１０）を２つに折り曲げることができると共に、分離線（Ｓ２）を基準として、蓋体（２０）を２つに分離することができる。それゆえ、眼鏡ケース本体（１０）を２つに折り曲げ、蓋体（２０）を２つに分離すれば、眼鏡ケース本体（１０）内の収納空間（収納部１１）が露出することとなり、もって、この露出された収納空間（収納部１１）内に眼鏡（Ｇ）を縦置きすることができることとなる。
【００１４】
しかして、本発明によれば、眼鏡ケースに眼鏡を収納並びに縦置きすることができると共に、その眼鏡ケースを持ち運びすることが可能となる。
【００１５】
また、請求項２の発明によれば、折り曲げ線（Ｓ１）と分離線（Ｓ２）とは同一線上となるように形成されているから、折り曲げ線（Ｓ１）を基準として、眼鏡ケース本体（１０）を２つに折り曲げれば、蓋体（２０）も２つに勝手に分離され、又、分離線（Ｓ２）を基準として、蓋体（２０）を２つに分離すれば、眼鏡ケース本体（１０）も２つに勝手に折り曲げられることとなる。それゆえ、作業性が向上することとなる。
【００１６】
さらに、請求項３の発明によれば、眼鏡ケース本体（１０）には、当該眼鏡ケース本体（１０）を２つに折り曲げた際、その状態を保持する保持手段（一対の磁石１２ａ，１２ｂ）が設けられているから、安定してその状態を保持することができることとなる。
【００１７】
そして、請求項４の発明によれば、蓋体（２０）は、分離線（Ｓ２）によって、第１分割蓋体（２１）と第２分割蓋体（２２）とに分離され、その第１分割蓋体（２１）と第２分割蓋体（２２）とが分離されないように係止する係止手段（係止部材２３，一対の磁石２２ａ）が蓋体（２０）に設けられているから、眼鏡を収納する際に第１分割蓋体（２１）と第２分割蓋体（２２）とが分離されないように係止手段（係止部材２３，一対の磁石２２ａ）によって維持することができる。
【００１８】
一方、請求項５の発明によれば、眼鏡（Ｇ）を収納することができる眼鏡ケース本体（１０）を蓋体（２０）によって開閉自在にカバーすることができることから、従来の眼鏡ケースと同様、眼鏡（Ｇ）を外部衝撃から守りつつ持ち運びすることが可能となる。また、本発明によれば、第１分離線を基準として、眼鏡ケース本体（１０）を２つに分離することができると共に、第２分離線（分離線Ｓ２）を基準として、蓋体（２０）を２つに分離することができる。それゆえ、眼鏡ケース本体（１０）を２つに分離し、蓋体（２０）を２つに分離すれば、眼鏡ケース本体（１０）内の収納空間（収納部１１）が露出することとなり、もって、この露出された収納空間（収納部１１）内に眼鏡（Ｇ）を縦置きすることができることとなる。
【００１９】
しかして、本発明においても、眼鏡ケースに眼鏡を収納並びに縦置きすることができると共に、その眼鏡ケースを持ち運びすることが可能となる。
【図面の簡単な説明】
【００２０】
【図１】（ａ）は本発明の一実施形態に係る眼鏡ケースの上面側斜視図、（ｂ）は同実施形態に係る眼鏡ケースの下面側斜視図である。
【図２】同実施形態に係る眼鏡ケースの上面側斜視図を示し、同実施形態に係る眼鏡ケース本体が蓋体によって閉止されている状態から開放されている状態を示すと共に、その開放されている状態の眼鏡ケース本体内に眼鏡が収納されている状態を示す図である。
【図３】（ａ）は同実施形態に係る眼鏡ケースの側面図を示し、同実施形態に係る係止部材が第２分割蓋体との密着状態から解放されている状態を示す図、（ｂ）は同実施形態に係る眼鏡ケース本体を２つに折り曲げると共に、蓋体を２つに分離した状態を示した側面図である。
【図４】図３（ｂ）に示す状態から完全に眼鏡ケース本体を２つに折り曲げると共に、蓋体を２つに分離した状態を示した斜視図を示し、その状態の眼鏡ケースに眼鏡を縦置きした状態を示す図である。
【発明を実施するための形態】
【００２１】
以下、本発明に係る眼鏡ケースの一実施形態を、図１〜図４を参照して具体的に説明する。なお、以下の説明において、上下左右の方向を示す場合は、図示正面から見た場合の上下左右をいうものとする。
【００２２】
本実施形態に係る眼鏡ケース１は、図２に示すように、眼鏡Ｇを収納できる収納部１１を備える眼鏡ケース本体１０と、この眼鏡ケース本体１０を開閉自在にカバーする蓋体２０とを備えてなる。
【００２３】
眼鏡ケース本体１０は、軟質の合成樹脂、硬質の合成樹脂、金属製、木製等からなり、図２に示すように、長手方向に延びる平板状の一対の長手側壁部１０ａ，１０ｂと、その一対の長手側壁部１０ａ，１０ｂの両端部から幅方向に延びる平板状の一対の幅側壁部１０ｃ，１０ｄとで構成された矩形状の収納空間を形成する収納部１１を備えてなる。そして、この収納部１１内には、図２に示すように、眼鏡Ｇが収納されることとなる。
【００２４】
一方、図２の手前側に位置する長手側壁部１０ｂ内には、薄い板状の磁石Ｍ１（図３（ｂ），図４参照）が設けられており、この磁石Ｍ１の磁力により眼鏡ケース本体１０に対して蓋体２０が開閉自在にカバーできるようになっている。また、眼鏡ケース本体１０の略中央部には、図２に示すように、一対の幅側壁部１０ｃ，１０ｄと平行となる位置に折り曲げ線Ｓ１が幅方向に向って一直線状に形成されている。この折り曲げ線Ｓ１は、図１（ｂ）及び図２に示すように、眼鏡ケース本体１０の表面側（収納部１１並びに一対の長手側壁部１０ａ，１０ｂ側）を切断し、裏面側１０ｅ（収納部１１の背面側，図１（ｂ）参照）が切断されないように形成されている。これにより、眼鏡ケース本体１０は、図３（ｂ）及び図４に示すように、２つ（例えば、半分）に折り曲げ可能となる。すなわち、一対の長手側壁部１０ａ，１０ｂの幅方向が切断されていることにより、図３（ｂ）及び図４に示すように、一対の長手側壁部１０ａ，１０ｂがそれぞれ２つ（例えば、半分）に分離され、さらに、眼鏡ケース本体１０の収納部１１側が切断されている一方で、裏面側１０ｅ（図１（ｂ）参照）が切断されていないことにより、眼鏡ケース本体１０は、図３（ｂ）及び図４に示すように、一部が非切断状態で完全に分離されないことにより、２つ（例えば、半分）に折り曲げられることとなる。
【００２５】
かくして、このように２つ（例えば、半分）に折り曲げられた眼鏡ケース本体１０の状態を保持するために、図１（ｂ）に示すように、眼鏡ケース本体１０の裏面側１０ｅには、左右両端部略中央付近に、一対の丸状の磁石１２ａ，１２ｂが設けられている。この一対の磁石１２ａ，１２ｂを設けることにより、図３（ｂ）及び図４に示すように、眼鏡ケース本体１０を折り曲げ線Ｓ１に沿って折り曲げると、眼鏡ケース本体１０の裏面側１０ｅに設けられている一対の磁石１２ａ，１２ｂの磁力によって磁石１２ａ，１２ｂ同士が吸着し、もって、図４に示すように、２つに折り曲げられた眼鏡ケース本体１０の状態を保持することができることとなる。なお、眼鏡ケース本体１０を２つに折り曲げた際、その状態を保持できるようであれば、眼鏡ケース本体１０の裏面側１０ｅに上記のような一対の磁石１２ａ，１２ｂを設ける必要はないが、安定してその状態を保持するためには設けた方が好ましい。また、本実施形態においては、一対の磁石１２ａ，１２ｂを眼鏡ケース本体１０の裏面側１０ｅに設ける例を示したが、それに限らず、面ファスナーや、凹凸嵌合できるボタン状のものでもよく、安定して眼鏡ケース本体１０を２つに折り曲げた状態を保持できるようなものであれば、特に限定はされない。
【００２６】
蓋体２０は、軟質の合成樹脂、硬質の合成樹脂、金属製、木製等からなり、図１（ａ）及び図２に示すように、円弧状に形成されている。そして、このような蓋体２０の長手方向一側壁部２０ａ（図２の奥側に位置する側壁部）は、眼鏡ケース本体１０の長手側壁部１０ａ（図２の奥側に位置する側壁部）の背面側に固着され、固定端となっている。一方、蓋体２０の長手方向他側壁部２０ｂ（図２の上部側に位置する側壁部）は、開放端となっていることから、蓋体２０の長手方向一側壁部２０ａを軸として、その軸廻りに移動、すなわち、図１（ａ）に示す矢印Ｐ１方向並びに図２に示す矢印Ｐ２方向に移動できることとなる。また、蓋体２０の長手方向他側壁部２０ｂ内には、薄い板状の磁石Ｍ２（図３（ｂ），図４参照）が設けられており、この長手方向他側壁部２０ｂを図２に示す矢印Ｐ２方向に移動させると、この長手方向他側壁部２０ｂ内に設けられている磁石Ｍ２と、眼鏡ケース本体１０の長手側壁部１０ｂ内に設けられている磁石Ｍ１とが磁力によって吸着し、図１（ａ）に示すように、眼鏡ケース本体１０の長手側壁部１０ｂと蓋体２０の長手方向他側壁部２０ｂとが密着し、もって、眼鏡ケース本体１０を蓋体２０によって閉止できることとなる。他方、蓋体２０の長手方向他側壁部２０ｂを図１（ａ）に示す矢印Ｐ１方向に移動させると、上記磁石Ｍ１と上記磁石Ｍ２の磁力による吸着が解放され、もって、眼鏡ケース本体１０の長手側壁部１０ｂと蓋体２０の長手方向他側壁部２０ｂとの密着が解放され、図２に示すように、眼鏡ケース本体１０が開放されることとなる。
【００２７】
一方、蓋体２０の略中央部には、図２に示すように、長手方向一側壁部２０ａと長手方向他側壁部２０ｂと垂直となる位置に分離線Ｓ２が幅方向に向って一直線状に形成されている。この分離線Ｓ２は、蓋体２０の表面側２０ｃ（図１（ａ）参照）及び蓋体２０の裏面側２０ｄ（図２参照）を貫通するように設けられていることから、蓋体２０は、図１〜図４に示すように、この分離線Ｓ２を基準として、第１分割蓋体２１と第２分割蓋体２２とに分離されることとなる。これにより、図３（ｂ）及び図４に示すように、眼鏡ケース本体１０が２つ（例えば、半分）に折り曲げられると、図１〜図３（ａ）に示すように、密接していた第１分割蓋体２１と第２分割蓋体２２とが図３（ｂ）及び図４に示すように分離されることとなる。また、この分離線Ｓ２は、図２に示すように、折り曲げ線Ｓ１と同一線上となるように形成されている。これにより、第１分割蓋体２１と第２分割蓋体２２を図３（ｂ）に示すように分離すれば、それに伴い、眼鏡ケース本体１０も２つ（例えば、半分）に折り曲げられることとなる。他方、図３（ｂ）及び図４に示すように、眼鏡ケース本体１０を２つ（例えば、半分）に折り曲げれば、第１分割蓋体２１と第２分割蓋体２２も分離されることとなる。それゆえ、眼鏡ケース本体１０を２つ（例えば、半分）に折り曲げれば、第１分割蓋体２１と第２分割蓋体２２が勝手に分離され、第１分割蓋体２１と第２分割蓋体２２を分離すれば、眼鏡ケース本体１０が勝手に２つ（例えば、半分）に折り曲げられることから、作業性が向上することとなる。
【００２８】
ところで、このように眼鏡ケース本体１０を２つ（例えば、半分）に折り曲げた際、分離線Ｓ２を基準として、分離可能となっている第１分割蓋体２１と第２分割蓋体２２を図１〜図３（ａ）に示すように密接状態に維持するために、図１（ａ）に示すように、蓋体２０の表面側２０ｃには、分離線Ｓ２を跨ぐように、係止部材２３が設けられている。この係止部材２３は、図１（ａ）に示すに、薄板の横長矩形状に形成されており、この係止部材２３の左端部２３ａは、第１分割蓋体２１に固着され、固定されている。一方、図１（ａ）及び図３に示すように、係止部材２３の右端部２３ｂには、裏面側に一対の磁石２３ｂ１が設けられており、この一対の磁石２３ｂ１に対応する一対の磁石２２ａ（図２〜図４参照）が、第２分割蓋体２２に設けられている。これにより、この一対の磁石２３ｂ１と一対の磁石２２ａ同士が磁力により吸着し、もって、図１（ａ）に示すように、係止部材２３の右端部２３ｂが第２分割蓋体２２に密着されることとなる。それゆえ、係止部材２３は、第１分割蓋体２１と第２分割蓋体２２とに亘って、すなわち、分離線Ｓ２を跨ぐように設けられることとなるから、係止部材２３によって、図１〜図３（ａ）に示すように、第１分割蓋体２１と第２分割蓋体２２とが密接状態に維持することができることとなる。なお、第１分割蓋体２１と第２分割蓋体２２との密接状態を維持できるようであれば、係止部材２３は設ける必要はないが、確実に密接状態を維持するためには設けた方が好ましい。また、本実施形態においては、磁石を例に説明したが、それに限らず、面ファスナーや、凹凸嵌合できるボタン状のものでもよく、確実に密接状態を維持できるものであれば、特に限定はされない。
【００２９】
ここで、上記のように構成される眼鏡ケース１の使用例を説明する。
【００３０】
まず、眼鏡Ｇを眼鏡ケース１に収納するにあたっては、眼鏡ケース１の使用者が、図１（ａ）に示す矢印Ｐ１方向に、蓋体２０の長手方向他側壁部２０ｂを移動させる。これにより、眼鏡ケース本体１０の長手側壁部１０ｂ内に設けられている磁石Ｍ１（図３（ｂ）及び図４参照）と、その長手方向他側壁部２０ｂ内に設けられている磁石Ｍ２（図３（ｂ）及び図４参照）との磁力による吸着が開放され、もって、眼鏡ケース本体１０の長手側壁部１０ｂと蓋体２０の長手方向他側壁部２０ｂとの密着が解放されることとなる。しかして、図２に示すように、眼鏡ケース本体１０が開放されることとなる。
【００３１】
そして、このように眼鏡ケース本体１０が開放されると、収納部１１が開放されることとなるから、図２に示すように、眼鏡Ｇを矢印Ｐ３方向に移動させれば、収納部１１内に眼鏡Ｇを収納する（図２に示す仮想線参照）ことができることとなる。そしてその後、図２に示す矢印Ｐ２方向に、蓋体２０の長手方向他側壁部２０ｂを移動させれば、眼鏡ケース本体１０の長手側壁部１０ｂ内に設けられている磁石Ｍ１（図３（ｂ）及び図４参照）と、その長手方向他側壁部２０ｂ内に設けられている磁石Ｍ２（図３（ｂ）及び図４参照）とが、磁力によって吸着され、図１（ａ）に示すように、眼鏡ケース本体１０の長手側壁部１０ｂと蓋体２０の長手方向他側壁部２０ｂとが密着し、もって、眼鏡ケース本体１０を蓋体２０によって閉止できることとなる。これにより、眼鏡Ｇを外部衝撃から守りつつ持ち運びすることが可能となる。
【００３２】
次に、眼鏡Ｇを眼鏡ケース１に縦置きするにあたっては、眼鏡ケース１の使用者が、図３（ａ）に示すように、眼鏡ケース本体１０を蓋体２０によって閉止した状態で、係止部材２３の右端部２３ｂを矢印Ｐ４方向に移動させる。これにより、一対の磁石２３ｂ１と一対の磁石２２ａ同士の磁力による吸着が解放され、係止部材２３の右端部２３ｂが第２分割蓋体２２の密着から解放されることとなる。この状態で、矢印Ｐ５方向に、分離線Ｓ２を基準として、第１分割蓋体２１と第２分割蓋体２２を分離させるか、又は、折り曲げ線Ｓ１を基準として、眼鏡ケース本体１０を２つ（例えば、半分）に折り曲げれば、図３（ｂ）に示す状態から、最終的に、図４に示す状態となる。すなわち、図１（ａ）及び図２に示すように、眼鏡Ｇを収納できる眼鏡ケース１から、図４に示すように、第１分割蓋体２１と第２分割蓋体２２とが分離されると共に、眼鏡ケース本体１０が２つ（例えば、半分）に折り曲げられることによって、上部に一対の収納部１１が露出される眼鏡ケース１に変形できることとなる。そして、この状態で、図４に示すように、眼鏡Ｇを矢印Ｐ６方向に移動させれば、収納部１１内に眼鏡Ｇを縦置きする（図４に示す仮想線参照）ことができることとなる。なお、図４に示すような状態となった際、眼鏡ケース本体１０の裏面側１０ｅ（図１（ｂ）参照）に設けられている一対の磁石１２ａ，１２ｂ（図１（ｂ）参照）の磁力によって磁石１２ａ，１２ｂ同士が吸着し、２つに折り曲げられた眼鏡ケース本体１０の状態を保持している。また言うまでもないが、眼鏡ケース１を図１及び図２に示す状態に戻すためには、図３（ａ）の矢印Ｐ５方向とは逆方向に、分離された第１分割蓋体２１と第２分割蓋体２２を密接させるように移動させるか、又は、２つ（例えば、半分）に折り曲げられた眼鏡ケース本体１０を図３（ａ）の矢印Ｐ５方向とは逆方向に移動させるようにすれば良い。
【００３３】
しかして、本実施形態によれば、眼鏡Ｇを収納することができる眼鏡ケース本体１０を蓋体２０によって開閉自在にカバーすることができることから、従来の眼鏡ケースと同様、眼鏡Ｇを外部衝撃から守りつつ持ち運びすることが可能となる。また、折り曲げ線Ｓ１を基準として、眼鏡ケース本体１０を２つに折り曲げることができると共に、分離線Ｓ２を基準として、蓋体２０を２つに分離することができる。それゆえ、眼鏡ケース本体１０を２つに折り曲げ、蓋体２０を２つに分離すれば、眼鏡ケース本体１０内の収納部１１が露出されることとなり、もって、この露出された収納部１１内に眼鏡Ｇを縦置きすることができることとなる。
【００３４】
しかして、本実施形態によれば、眼鏡ケースに眼鏡を収納並びに縦置きすることができると共に、その眼鏡ケースを持ち運びすることが可能となる。
【００３５】
なお、本実施形態においては、眼鏡ケース本体１０を半分に折り曲げ、蓋体２０を半分に分離する例を示したが、それに限らず、眼鏡ケース本体１０を１／３と２／３になるように折り曲げ、蓋体２０を１／３と２／３になるように分離しても良く、眼鏡ケース本体１０を１／５と４／５になるように折り曲げ、蓋体２０を１／５と４／５になるように分離しても良い。すなわち、眼鏡ケース本体１０を２つに折り曲げ、蓋体２０を２つに分離できれば半分に限らずどのようなサイズでも良い。
【００３６】
また、眼鏡ケース本体１０に蓋体２０を取り付けるにあたって、眼鏡ケース本体１０の長手側壁部１０ａの背面側に蓋体２０の長手方向一側壁部２０ａが固着されている例を示したが、これに限らず、例えば、ヒンジを介して取り付けるようにしても良い。
【００３７】
そして、本実施形態にて示した折り曲げ線Ｓ１と分離線Ｓ２とは、直線状に形成する例を示したが、それに限らず、円弧状に形成したり、波線状に形成したりしても良く、眼鏡ケース本体１０を２つに折り曲げ、蓋体２０を２つに分離できればどのように形成しても良い。
【００３８】
また、本実施形態にて示した眼鏡ケース本体１０は、２つに折り曲げる例を示したが、折り曲げ線Ｓ１を分離線に代え、当該眼鏡ケース本体１０を２つに分離できるようにしても良い。その際、眼鏡ケース本体１０内に磁石を設けておけば、その磁石の磁力により、眼鏡ケース本体１０が分離されずに、吸着され、図１及び図２に示すような状態となる。そして、上記折り曲げ線Ｓ１に代えた分離線を基準として、眼鏡ケース本体１０を２つに分離するようにすれば、磁力による吸着が開放され、眼鏡ケース本体１０が２つに分離されることとなる。そしてその２つに分離された眼鏡ケース本体１０の裏面同士を図４に示すように、密着させれば、眼鏡ケース本体１０内の磁石の磁力により、２つに分離された眼鏡ケース本体１０が裏面同士で吸着されることとなり、もって、図４に示すような状態となる。しかして、このようにしても、眼鏡ケースに眼鏡を収納並びに縦置きすることができると共に、その眼鏡ケースを持ち運びすることが可能となる。なお、眼鏡ケース本体１０内に磁石を設けるに限らず、面ファスナーや、凹凸嵌合できるボタン状のもので眼鏡ケース本体１０が分離されないように密接させておいても良く、分離されないように眼鏡ケース本体１０を密接させる方法は、どのような方法でも良い。さらには、２つに分離された眼鏡ケース本体１０を裏面同士で密着させずとも、２つに分離された眼鏡ケース本体１０の何れか一方だけを眼鏡の縦置きとして使用しても良い。またさらには、２つに分離された眼鏡ケース本体１０を裏面同士で密着させる場合は、眼鏡ケース本体１０の裏面側１０ｅに設けられている一対の磁石１２ａ，１２ｂを用いても良く、さらには、面ファスナーや、凹凸嵌合できるボタン状のものを用いても良く、２つに分離された眼鏡ケース本体１０を裏面同士で密着させる方法は、どのような方法でも良い。
【００３９】
また一方、本実施形態において示した眼鏡ケース本体１０と蓋体２０の形状はあくまで一例であり、特許請求の範囲に記載された本発明の要旨の範囲内において、種々の変形・変更が可能である。
【符号の説明】
【００４０】
１              眼鏡ケース
１０            眼鏡ケース本体
１１            収納部
１２ａ，１２ｂ  磁石（保持手段）
２０            蓋体
２１            第１分割蓋体
２２            第２分割蓋体
２２ａ          一対の磁石（係止手段）
２３            係止部材（係止手段）
Ｇ              眼鏡
Ｓ１            折り曲げ線
Ｓ２            分離線（第２分離線）
【図１】
2016131626.tif 000003
【図２】
2016131626.tif 000004
【図３】
2016131626.tif 000005
【図４】
2016131626.tif 000006